(57)【特許請求の範囲】
【請求項１】
収容物としてプリンタ本体を収容するロック機構付きケースであって、
前記プリンタ本体は、ホストコンピュータと接続されて信号の送受信を行ない、記録情報を受信して内蔵された、所定の描画が実施されて有効となる金券または有価証券の用紙である記録媒体に所定の描画を行い、描画された前記記録媒体が排出される排出口と、前記排出口を除いて前記内蔵された記録媒体を覆う蓋部と、閉止状態の前記蓋部を開放させる蓋操作部と、前記記録媒体を排出させる排出部と、前記排出部を起動させる排出操作部とを有しており、
前記ロック機構付きケースは、収容物としての前記プリンタ本体を収めるための開口部が設けられた収容部と、前記開口部に跨って開閉可能な状態に取り付けられたカバーと、前記カバーと前記収容部とを閉止状態にロックし、前記ホストコンピュータから前記プリンタ本体が受信するロック解除命令信号に基づいて、前記プリンタ本体に内蔵された発信部から出力される電気信号により前記ロックを解除可能な電磁開閉器から成るロック機構とを備え、
さらに、前記カバーは、前記収容部に収容された前記プリンタ本体の前記蓋部の少なくとも一部と前記蓋操作部および前記排出操作部を覆って閉止状態となるように、前記収容部とロックされることを特徴とするロック機構付きケース。
【請求項２】
記録情報を受信して、内蔵された、所定の描画が実施されて有効となる金券または有価証券の用紙である記録媒体に所定の描画を行い、描画された前記記録媒体が排出される排出口と、前記排出口を除いて前記内蔵された記録媒体を覆う蓋部と、閉止状態の前記蓋部を開放させる蓋操作部と、前記記録媒体を排出動作させる排出部と、前記排出部を起動させる排出操作部とを備え、ホストコンピュータと接続されて信号の送受信を行なうプリンタ本体と、
収容物としての前記プリンタ本体を収めるための開口部が設けられた収容部と、前記開口部に跨って開閉可能な状態に取り付けられたカバーと、前記カバーと前記収容部とを閉止状態にロックし、前記ホストコンピュータから前記プリンタ本体が受信するロック解除命令信号に基づいて、前記プリンタ本体に内蔵された発信部から出力される電気信号により前記ロックを解除可能な電磁開閉器から成るロック機構とを備えたロック機構付きケースと、で構成され、
前記カバーは、前記収容部に収容された前記プリンタ本体の前記蓋部の少なくとも一部と前記蓋操作部および前記排出操作部を覆って閉止状態となるように、前記収容部とロックされることを特徴とするプリンタ。
【発明の詳細な説明】
【技術分野】
【０００１】
本発明は、ケース内に収めた収容物を容易に取り出すことができないロック機構付ケースおよびこれを備えたプリンタに関する。
【背景技術】
【０００２】
昨今の市場経済では、特定のシート等に所定の印字やバーコードのような識別マークなどの描画を施した金券が用いられている。またこの種の金券や、乗車券や入場券等の有価証券は、あらかじめ作製されたものでなく、サービスを受ける顧客の目の前で印刷装置等により印刷され顧客に提供される場合がある。
【０００３】
また、この種の金券や有価証券の印刷に用いられる印刷装置として、買い物やサービスを受けた際に、売上伝票や領収書としてレシート用紙に所定の事項を印刷して顧客に提供すると同時に、その控えとなるジャーナル用紙に売上金額等の会計情報を記録するプリンタが知られている（例えば特許文献１）。
【０００４】
このため、金券や有価証券の印刷に用いられる印刷装置は、印刷装置に収納されたレシート用紙やジャーナル用紙等の用紙（記録媒体）を不正入手して金券や有価証券の偽造が行われる等の問題が心配されるので、印刷装置において用紙（記録媒体）の盗難を防止する必要がある。
【０００５】
このような不正行為の防止を目的とした印刷装置として、例えば特許文献２に開示されたＰＯＳ（Point  Of  Sales）端末や電子キャッシュレジスタ等の商品売上登録装置がある。この商品登録装置には、レシート・ジャーナル用紙の上方を覆うカバー装置が設けられている。
【０００６】
このカバー装置は、ケース本体内にレシート用紙とジャーナル用紙とを収納した商品売上登録装置において、ジャーナル用紙の上方を覆うジャーナルカバーとレシート用紙の上方を覆うレシートカバーとをケース本体に開閉自在に取り付けると共に、ジャーナルカバーを閉止状態にロックするロック機構を備えたものである。また、このロック機構は、いわゆるキー（鍵）を用いてロックを開閉する形態であった。
【０００７】
【特許文献１】米国特許  ６，１１８，４６９
【特許文献２】特開平５−３２５０１８号公報
【発明の開示】
【発明が解決しようとする課題】
【０００８】
上記のような従来の商品売上登録装置では、装置の外観を見れば鍵によって施錠されることは第３者にも容易にわかるため、第３者の手に鍵が渡る、あるいは複製された鍵でロック機構が解除され装置内のレシート用紙やジャーナル用紙を不正入手される心配がある。
【０００９】
本発明は、上記の課題を考慮してなされたものであり、ケース内に収めた収容物を容易に取り出すことができないロック機構付きケースおよびこれを備えたプリンタを提供することを目的とする。
【課題を解決するための手段】
【００１０】
本発明のロック機構付きケースは、収容物を収めるための開口部が設けられた収容部と、開口部に跨って開閉可能な状態に取り付けられたカバーと、カバーと収容部とを閉止状態にロックするロック機構とを備えたロック機構付きケースにおいて、ロック機構は、カバーを閉じてロックすることにより収容物を収容部内に拘束し、電気信号によってロックが解除されることを特徴とする。
【００１１】
この構成によれば、ロック機構により収容物は収容部内に拘束され、電気信号によってロックが解除されるため、例えば管理責任者は、ケースに触れることなく電気信号を送ってロックを解除することができる。すなわちロック機構を遠隔操作することができる。ゆえに第３者によってケース内の収容物が不正に取り出されることを防止することができる。
【００１２】
この場合、ロック機構は、カバーと収容部とが係合することにより閉止状態とするロック部を有し、ロック部には入力した電気信号によってカバーと収容部との係合を解除する電磁開閉器が備えられていることが好ましい。
【００１３】
この構成によれば、ロック部はカバーを閉じることによりカバーと収容部とが係合して閉止状態になり、この係合を解除する電磁開閉器は入力した電気信号によって動作するため、外部から電気信号を入力すれば、このロック部を有するロック機構を遠隔操作することができると共に、電磁開閉器が故障してもカバーと収容部との閉止状態を維持することができる。
【００１４】
またこの場合、ロック機構は、ケース外側から直接触れることができない状態で収容部内に配設されていることが好ましい。これによれば、ロック機構は、収容部内に配設されているため、収容物を収めてカバーを閉じ、カバーと収容部とが閉止状態にロックされると、ケース外部からロック機構を破壊して解除しようとするような不正行為を防止することができる。ゆえに第３者によって容易に収容物がケースから取り出されることを防止することができる。
【００１５】
本発明の他のロック機構付きケースは、収容物としてプリンタ本体を収容するロック機構付きケースであって、プリンタ本体は、記録情報を受信して内蔵された記録紙等の記録媒体に所定の描画を行い、描画された記録媒体が排出される排出口と、排出口を除いて内蔵された記録媒体を覆う蓋部とを有し、カバーは収容部に収容されたプリンタ本体の蓋部が閉止状態となるように蓋部の少なくとも一部を覆って、収容部とロックされることを特徴とする。
【００１６】
この構成によれば、収容物としてプリンタ本体を上記発明のロック機構付きケースの収容部に収容すると、カバーはプリンタ本体の蓋部が閉止状態となるように蓋部の少なくとも一部を覆って収容部とロックされるため、カバーを開けてプリンタ本体を不正に持ち出したり、蓋部を開けてプリンタ本体に内蔵された記録紙等の記録媒体が不正に抜き取られることを防止することができる。
【００１７】
また本発明の他のロック機構付きケースは、収容物としてプリンタ本体を収容するロック機構付きケースであって、前記プリンタ本体は、ホストコンピュータと接続されて信号の送受信を行ない、記録情報を受信して内蔵された、所定の描画が実施されて有効となる金券または有価証券の用紙である記録媒体に所定の描画を行い、描画された前記記録媒体が排出される排出口と、前記排出口を除いて前記内蔵された記録媒体を覆う蓋部と、閉止状態の前記蓋部を開放させる蓋操作部と、前記記録媒体を排出させる排出部と、前記排出部を起動させる排出操作部とを有しており、前記ロック機構付きケースは、収容物としての前記プリンタ本体を収めるための開口部が設けられた収容部と、前記開口部に跨って開閉可能な状態に取り付けられたカバーと、前記カバーと前記収容部とを閉止状態にロックし、前記ホストコンピュータから前記プリンタ本体が受信するロック解除命令信号に基づいて、前記プリンタ本体に内蔵された発信部から出力される電気信号により前記ロックを解除可能な電磁開閉器から成るロック機構とを備え、さらに、前記カバーは、前記収容部に収容された前記プリンタ本体の前記蓋部の少なくとも一部と前記蓋操作部および前記排出操作部を覆って閉止状態となるように、前記収容部とロックされることを特徴とする。
【００１８】
この構成によれば、上記発明のロック機構付きケースの収容部に収容物としてプリンタ本体を収容すると、カバーはプリンタ本体の蓋部が閉止状態となるように蓋部の少なくとも一部、蓋操作部および排出操作部を覆って収容部とロックされるため、カバーを開けてプリンタ本体を不正に持ち出したり、蓋操作部を操作し蓋部を開けてプリンタ本体に内蔵された記録紙等の記録媒体が不正に抜き取られること及び排出操作部を操作して記録媒体を排出させ不正に抜き取ることを防止することができる。
【００１９】
本発明のプリンタは、記録情報を受信して内蔵された記録紙等の記録媒体に所定の描画を行うプリンタであって、描画された記録媒体が排出される排出口と排出口を除いて内蔵された記録媒体を覆う蓋部とを備えたプリンタ本体と、上記発明のロック機構付きケースとを有し、カバーは収容部に収容されたプリンタ本体の蓋部が閉止状態となるように蓋部の少なくとも一部を覆って、収容部とロックされることを特徴とする。
【００２０】
この構成によれば、プリンタ本体は上記発明のロック機構付きケースに収められ、カバーを閉じると、カバーはプリンタ本体の蓋部の少なくとも一部を覆って収容部とロックされるため、ロック機構によるロックを解除しないとプリンタ本体の蓋部を開けて内蔵された記録媒体を取り出すことができない。よって、プリンタ本体に内蔵された記録媒体が不正に取り出されることを防止することができる。さらにロック機構は外部から電気信号を入力すれば、遠隔操作によりロックを解除することができる。
【００２１】
本発明の他のプリンタは、記録情報を受信して、内蔵された、所定の描画が実施されて有効となる金券または有価証券の用紙である記録媒体に所定の描画を行い、描画された前記記録媒体が排出される排出口と、前記排出口を除いて前記内蔵された記録媒体を覆う蓋部と、閉止状態の前記蓋部を開放させる蓋操作部と、前記記録媒体を排出動作させる排出部と、前記排出部を起動させる排出操作部とを備え、ホストコンピュータと接続されて信号の送受信を行なうプリンタ本体と、収容物としての前記プリンタ本体を収めるための開口部が設けられた収容部と、前記開口部に跨って開閉可能な状態に取り付けられたカバーと、前記カバーと前記収容部とを閉止状態にロックし、前記ホストコンピュータから前記プリンタ本体が受信するロック解除命令信号に基づいて、前記プリンタ本体に内蔵された発信部から出力される電気信号により前記ロックを解除可能な電磁開閉器から成るロック機構とを備えたロック機構付きケースと、で構成され、前記カバーは、前記収容部に収容された前記プリンタ本体の前記蓋部の少なくとも一部と前記蓋操作部および前記排出操作部を覆って閉止状態となるように、前記収容部とロックされることを特徴とする。
【００２２】
この構成によれば、プリンタの本体は上記発明のロック機構付きケースに収められ、カバーを閉じると、カバーはプリンタ本体の蓋部の少なくとも一部と蓋操作部およびスイッチ部を覆うため、ロック機構によるロックを解除しないと蓋操作部を操作し蓋部を開けて内蔵された記録媒体を取り出すことや排出操作部を操作して記録媒体を排出させることができない。すなわち、プリンタ本体に内蔵された記録媒体が不正に取り出されることを防止することができる。さらにロック機構は外部から電気信号を入力すれば、遠隔操作によりロックを解除することができる。
【００２３】
これらの上記発明のプリンタにおいて、プリンタ本体は第１の電気信号を受信してドロアを開放する第２の電気信号を発信する発信部を備え、ロック機構は発信部から発信された第２の電気信号によってロックが解除されることが好ましい。
【００２４】
この構成によれば、例えばホストコンピュータ等の外部装置から第１の電気信号を送信し、プリンタ本体はこれを受信して発信部からドロア開放用の第２の電気信号を発信してロック機構を解除することができる。すなわちロック機構を解除する専用の電気信号系統を用意する必要がない。
【００２５】
またこれらの上記発明のプリンタにおいて、内蔵された記録媒体は、受信された記録情報を基に所定の描画が実施されて有効となる金券または有価証券の用紙であることを特徴とする。
【００２６】
この構成によれば、プリンタ本体は、上記発明のロック機構付きケース内に収容されているため、プリンタ本体に内蔵された金券または有価証券の用紙となる記録媒体が不正に取り出されることを防止することができる。
【発明を実施するための最良の形態】
【００２７】
（第１の実施形態）
図１は、ロック機構付きケースの構造を示す概略斜視図である。本実施形態のロック機構付きケース１０は、収容物を収めるための開口部３７が設けられた収容部３０と、開口部３７に跨って開閉可能な状態に取り付けられたカバー２０と、カバー２０と収容部３０とを閉止状態にロックするロック機構６０とで構成されている。またロック機構６０は、カバー２０を閉じてロックすることにより収容物を収容部３０内に拘束し、電気信号によってロックが解除される。
【００２８】
図２は、収容部の部品を展開した展開図である。図２（ａ）は背面パネルの概略正面図、図２（ｂ）は底面パネルの概略平面図、図２（ｃ）は側面パネルの概略展開図である。
【００２９】
収容部３０は、底面パネル３１と背面パネル４１および側面パネル５１によって構成されている。またロック機構６０はカバーロック部６１と電気信号で作動する電磁ロック部７１とで構成されている。カバーロック部６１は側面パネル５１に取り付けられる。電磁ロック部７１は底面パネル３１に取り付けられる。ロック機構６０の詳細は後述する。
【００３０】
図２（ｃ）に示すように側面パネル５１は、中央の前面パネル５２を有し、この前面パネル５２の両側にはカバー取り付け部５６ａ，５６ｂを有するパネル５３ａ，５３ｂが繋がっている。この側面パネル５１を所定の部位で折り曲げて底面パネル３１に取り付け、さらに背面パネル４１を底面パネル３１及びパネル５３ａ，５３ｂに取り付けることによって上方に開口部３７を有する略直方体の収容部３０が形成される。
【００３１】
図３は、底面パネルを示し、（ａ）は平面図、（ｂ）側面図、（ｃ）は左側面図、（ｄ）は右側面図である。
【００３２】
底面パネル３１は、４辺を折り曲げたトレー状となっている。底面パネル３１は、図３（ａ）の平面図の左方二つの角と長辺の中央からやや後方に収容物を固定する４つの固定部３２ａ，３２ｂ，３２ｃ，３２ｄを有している。また後方の二つの角に背面パネル４１を固定する２つの固定部３３ａ，３３ｂを有している。各固定部３２ａ，３２ｂ，３２ｃ，３２ｄ，３３ａ，３３ｂは、それぞれ折り曲げられた辺部からさらに内側に張り出してコの字状に形成されている。
【００３３】
収容物を固定する４つの固定部３２ａ，３２ｂ，３２ｃ，３２ｄの上面には、図３（ｃ）の左側面方向から見て左右対称な位置に収容物をネジ止めするための孔３２ｅ，３２ｆ，３２ｇ，３２ｈが設けられている。同様にして背面パネル４１を固定する２つの固定部３３ａ，３３ｂの上面には、背面パネル４１をネジ止めするための孔３３ｃ，３３ｄが設けられている。図３（ｂ）〜（ｄ）の側面図に示すようにこれらの６つの孔３２ｅ，３２ｆ，３２ｇ，３２ｈ，３３ｃ，３３ｄの直下にあたる底面部にネジ止めのためドライバー等の工具を差し込む大きめの孔３２ｉ，３２ｊ，３２ｋ，３２ｌ，３３ｅ，３３ｆが設けられている。
【００３４】
そして底面部には、側面パネル５１を固定する４つのネジ孔３４ａ，３４ｂ，３４ｃ，３４ｄと、電磁ロック部７１を固定するための４つのネジ孔３５ａ，３５ｂ，３５ｃ，３５ｄと、１つの軸受け孔３８と、組立後のケース１０を所定の場所に固定するための４つの孔３６ａ，３６ｂ，３６ｃ，３６ｄとがそれぞれ対応する位置に加工されている。
【００３５】
図４は、背面パネルを示し、（ａ）は側面図、（ｂ）は背面側から見た正面図、（ｃ）は底面側から見た平面図である。
【００３６】
背面パネル４１は、上方部が湾曲した湾曲部４２を有するＬ字側面形状となっている。背面パネル４１には、カバー２０の回転軸を支持する２つの支持部４３ａ，４３ｂと２つのフック部４４ａ，４４ｂとが同一方向に突き出るように折り曲げて形成されている。
【００３７】
２つの支持部４３ａ，４３ｂの先端部には、回転軸を支持するための軸孔４３ｃ、４３ｄが設けられている。２つのフック部４４ａ，４４ｂには、側面パネル５１を固定するための孔４４ｃ，４４ｄが設けられている。またＬ字底面４８には、底面パネル３１に形成された２つの固定部３３ａ，３３ｂを逃げて背面パネル４１を固定できるように２つの逃げ４６ａ，４６ｂと２つの固定孔４５ａ，４５ｂが設けられている。
【００３８】
図５は、側面パネルを示し、（ａ）は正面図、（ｂ）は平面図、（ｃ）は左側面図、（ｄ）は右側面図である。側面パネル５１は、２つのパネル５３ａ，５３ｂが前面パネル５２と繋がり平面視でコの字形状となっている。側面パネル５１には、底面パネル３１に固定するための４つの固定部５４ａ，５４ｂ，５４ｃ，５４ｄが内側に向けて折り曲げられ形成されている。
【００３９】
２つのパネル５３ａ，５３ｂには、それぞれにカバー２０を取り付けるための取り付け部５６ａ，５６ｂが形成されており、カバー２０と重なる部分が板厚分内側に絞り込まれている。そして、軸孔５８ａ，５８ｂとこの軸孔５８ａ，５８ｂを中心とする円周上の位置に円弧状の長孔５８ｃ，５８ｄが設けられている。また後端辺部に背面パネル４１を固定するための２つの固定孔５９ａ，５９ｂが設けられている。
【００４０】
パネル５３ａには、内壁にカバーロック部６１を固定するための４つの固定孔５５ａ，５５ｂ，５５ｃ，５５ｄが設けられている。また取り付け後のカバーロック部６１が前面パネル５２側から見たときに隠れるようにリブ５７が内側に張り出して形成されている。
【００４１】
図６は、カバーを示し、（ａ）は平面図、（ｂ）は右側面図、（ｃ）は正面図、（ｄ）は背面図である。カバー２０は、取り付け孔が貫通した２つのカバー支持部２１ａ，２１ｂが同一方向に折り曲げられ、側面パネル５１の形状に合わせて屈曲した側面形状となっている。カバー２０には、矩形に開口された孔２２ａを有するフック部２２が先端部に１つ形成されている。このフック部２２は、収容部３０のカバーロック部６１と係合してカバー２０を閉止状態とする。
【００４２】
図６（ａ）に示すように２つのカバー支持部２１ａ，２１ｂには、軸孔２４ａ，２４ｂと、図５（ｃ）、（ｄ）に示した側面パネル５１のカバー取り付け部５６ａ，５６ｂに設けられた長孔５８ｃ，５８ｄに対応した円周上の位置に内側へ凸となる突起部２５ａ，２５ｂとが設けられている。またカバー支持部２１ａ，２１ｂの縁部にフック２６ａ，２６ｂが設けられ内側へ階段状に折り曲げられている。
【００４３】
突起部２５ａ，２５ｂは、上記の長孔５８ｃ，５８ｄに嵌ってカバー２０の開閉角度を制限するために設けられ、２つのフック２６ａ，２６ｂは、カバー２０を開く方向に付勢するため背面パネル４１に設けられたフック部４４ａ，４４ｂとの間にバネを掛けるためのものである。
【００４４】
さらに、カバー支持部２１ａ，２１ｂの縁部には、２つの凸部２７ａ，２７ｂが形成されている。この凸部２７ａ，２７ｂは内側に折り曲げられると共に、カバー２０の上面板２８の縁を折り返すことによりカバー支持部２１ａ，２１ｂと上面板２８とを固定している。
【００４５】
またフック部２２が設けられたカバー２０の一方の側面には、カバー２０を閉じたときに側面パネル５１のパネル５３ａ内壁に沿って閉じられ、確実にフック部２２がカバーロック部６１に案内されるように拡幅部２３が形成され板厚分内側に絞り込まれている。
【００４６】
図３〜図６に示した収容部３０とカバー２０の材料は、厚みおよそ１ｍｍの鋼板を防錆処理したものを用いているが、加工性と適度な強度を有するものであればステンレス等の板材でもよい。また、取り扱いを考慮してカバー２０や収容部３０の外形を構成する各稜は、板材を内側に折り曲げて形成され、鋭利なエッジを無くすと共に強度を持たせるように加工されている。
【００４７】
尚、ケース１０の設計は、本実施形態に限るものではなく、収容物の大きさや形状およびカバー２０によって閉止状態とする収容物の部位に合わせて設計すればよい。
【００４８】
次にロック機構付きケース１０の組立方法について説明する。図７は、組立時に用いる軸部品を示す概略側面図である。まず図３に示した底面パネル３１の所定の位置に電磁ロック部７１（詳細は後述する）を底面パネル３１の上方からネジ止めして取り付ける。次に図５に示した側面パネル５１の固定部５４ａ，５４ｂ，５４ｃ，５４ｄを底面パネル３１の長辺側の折り曲げ部がないところから指し込んでネジ孔３４ａ，３４ｂ，３４ｃ，３４ｄの位置でやはり内側からネジ止めする。そして底面パネル３１の底面に設けられた孔３３ｅ，３３ｆからネジを挿入して、図４に示した背面パネル４１のＬ字底面４８を底面パネル３１の固定部３３ａ，３３ｂにネジ止めする。また背面パネル４１のフック部４４ａ，４４ｂに設けられた孔４４ｃ，４４ｄと側面パネル５１に設けられた固定孔５９ａ，５９ｂとに図７（ａ）に示した軸８１を挿入し内側で溝８１ａにＥ型止め輪を嵌め込んで側面パネル５１に背面パネル４１を固定する。そしてパネル５３ａ内壁の所定の位置にカバーロック部６１（詳細は後述する）を取り付ける。これにより収容部３０ができあがる。
【００４９】
次に図６に示したカバー２０を収容部３０に取り付ける。取り付け方法は、カバー支持部２１ａ，２１ｂが側面パネル５１のカバー取り付け部５６ａ，５６ｂを覆い、且つ上面板２８が背面パネル４１の湾曲部４２を覆うように取り付ける。固定方法は、カバー支持部２１ａ，２１ｂとカバー取り付け部５６ａ，５６ｂおよび背面パネル４１の支持部４３ａ，４３ｂに形成された左側の軸孔２４ａ，５８ａ，４３ｃと右側の軸孔２４ｂ，５８ｂ，４３ｄとに、それぞれ図７（ａ）に示した軸８１を挿入し内側で溝８１ａにＥ型止め輪を嵌め込んで固定する。そしてカバー支持部２１ａ，２１ｂのフック２６ａ，２６ｂと背面パネル４１のフック部４４ａ，４４ｂとの間にそれぞれバネを掛ける。これによりロック機構６０が付いたケース１０の組立が完了する。
【００５０】
上記のようなロック機構付きケース１０の組立方法を用いることにより、一度組立てられたケースを分解しようとする場合は、カバー２０を開いて開口部３７の内側からネジ止めされた部分を外す。また内側からＥ型止め輪を外して軸８１を抜きカバー２０を取り外したり、同じくＥ型止め輪を外して軸８１を抜き背面パネル４１と側面パネル５１の固定を外さなければならない。よって、このケース１０の収容部３０の開口部３７を埋めるように隙間なく収容物を収めて固定しカバー２０を閉じてロックされた状態では、外側からケース１０を分解しようとするのは困難である。同様にロック機構６０は、ケース外側から直接触れることができない状態で収容部３０内に配設されているため、ロックをケース１０の外側から外すということもできない。
【００５１】
また、カバー支持部２１ａ，２１ｂのフック２６ａ，２６ｂと背面パネル４１のフック部４４ａ，４４ｂとの間に掛けられたバネによってカバー２０は、開く方向に付勢されている。これによりロック機構６０が解除された場合は、カバー取り付け部５６ａ，５６ｂに設けられた長孔５８ｃ，５８ｄの範囲でカバー２０は開いて止まり、カバー２０を閉じてロックされていればカバー２０は開かない。ゆえに確実にロックされているかどうかを確認することができる。
【００５２】
次にロック機構について図７および図８を基に説明する。ロック機構６０は、前述したようにカバーロック部６１と電磁ロック部７１とによって構成されている。図８は、ロック機構の構造を示し、（ａ）はカバーロック部の概略側面図、（ｂ）は電磁ロック部の概略平面図、（ｃ）は電磁ロック部の概略側面図である。詳しくは、図８（ａ）はパネル５３ａの外側から見たカバーロック部の概略側面図である。
【００５３】
図８（ａ）に示すようにカバーロック部６１は、側面パネル５１のパネル５３ａ内壁面に取り付けられている。そして、カバー２０に設けられたフック部２２と係合する回転フック部６２と、回転フック部６２を所定の角度で止めてフック部２２とのロック状態を維持する開閉レバー６３と、パネル５３ａの内壁面に固定されたストッパー６４とで構成されている。また回転フック部６２は軸６６ａによって、開閉レバー６３は軸６６ｂによってパネル５３ａの内壁面に軸支されている。
【００５４】
回転フック部６２には、カバー２０に設けられたフック部２２の孔２２ａに挿入されるツメ６２ｂと、回転フック部６２をロック解除の方向に付勢するバネ６５ａを掛けるためのフック６２ｃと、ロック解除の方向に回転したときにストッパー６４に突き当たって回転を止める凸部６２ｄとが形成されている。
【００５５】
開閉レバー６３には、一端にフック６３ｂが形成されており、軸６６ｂを中心に開閉レバー６３を閉回転方向に付勢するバネ６５ｂがフック６３ｂに掛けられている。もう一方の端には、回転フック部６２のストッパー６２ａを受ける切り欠き部６３ａが形成されている。またバネ６５ｂを掛けるフック６３ｂが形成された端部には、内側に折り曲げられた押圧部６３ｃが形成されている。
【００５６】
図８（ｂ）に示すように電磁ロック部７１は、電気信号によってプランジャー７３を開閉位置に前後させるソレノイド７２と、図７（ｂ）に示された軸７７に軸支され一端がプランジャー７３の先端部に嵌合したＬ字状の押圧レバー７６と、これらの部品が取り付けられたプレート７５とで構成されている。
【００５７】
プレート７５には、軸７７が打ち込まれて固定されており、押圧レバー７６が軸７７の先端部に嵌合されると共に、溝７７ａにＥ型止め輪を嵌め込んで回転自在に軸支されている。またバネ６５ｂの一端を固定するピン７４が設けられている。さらにプレート７５の一部を折り曲げたストッパー７５ａが押圧レバー７６が閉方向に回転したときに過剰に回転しないように形成されている。
【００５８】
上記のようなロック機構６０の動作について説明する。カバー２０を収容部３０に閉じたときには、カバー２０の先端部に形成されたフック部２２が回転フック部６２のツメ６２ｂの上部を押してゆき、やがてフック部２２の孔２２ａにツメ６２ｂが掛かかる。このとき回転フック部６２はバネ６５ａの付勢により開方向に回転しようとするが、開閉レバー６３はバネ６５ｂによって閉方向に付勢されているため、回転フック部６２のストッパー６２ａを開閉レバー６３の切り欠き部６３ａが受けてカバーロック部６１は閉止状態でロックされる。
【００５９】
カバーロック部６１がロックされると、開閉レバー６３の端部に形成された押圧部６３ｃは、電磁ロック部７１の押圧レバー７６を押圧してプランジャー７３の先端が引き出された状態で止まる。同時にバネ６５ｂは、この状態を維持する方向に付勢している。
【００６０】
カバーロック部６１のロックを解除する場合は、引き出されたプランジャー７３を戻すように電気信号によってソレノイド７２を動作させる。するとプランジャー７３が戻ることによって押圧レバー７６が回転し開閉レバー６３の押圧部６３ｃを押圧する。これによって回転フック部６２のストッパー６２ａを受けていた開閉レバー６３がはずれ、回転フック部６２はバネ６５ａの付勢により開方向に回転する。そしてカバー２０のフック部２２の孔２２ａに掛かっていたツメ６２ｂが外れてカバー２０のロックが解除される。
【００６１】
カバー２０のロックが解除されると、回転フック部６２はバネ６５ａの付勢により開方向に回転して凸部６２ｄがストッパー６４に突き当たり停止する。このとき開閉レバー６３の切り欠き部６３ａは回転フック部６２のストッパー６２ａを逃げた状態で停止し、再びカバー２０が閉じられるまで待機した状態となる。
【００６２】
尚、ロック機構６０は、電磁開閉器であるソレノイド７２を用いた構成であれば、本実施形態に限定されるものではない。例えばソレノイド７２のプランジャー７３の動作を直接に回転フック部６２に伝えてロックを解除するカバーロック部６１としてもよい。また、カバー２０や回転フック部６２および開閉レバー６３の付勢に用いられる手段は、空気やオイルが密封されたシリンダ等を用いてもよい。
【００６３】
次に上記のロック機構付きケースを備えたプリンタについて、図９〜図１１を基に説明する。図９はプリンタ本体の構造を示し、（ａ）は蓋を開けた状態を示す概略斜視図、（ｂ）はプリント機構を示す概略断面図である。
【００６４】
図９（ａ）に示すようにプリンタ本体１１０は、印字されたロール紙１１６が排出される排出口１１２と、排出口１１２を除いて内蔵されたロール紙１１６を覆う蓋部としてのプリンタカバー１１１と、プリンタカバー１１１を開放させる蓋操作部としてのオープンボタン１１３と、プリンタカバー１１１に取り付けられロール紙１１６を排出する排出部としてのプラテン１２５と、プラテン１２５を回転駆動させるモータ（図示省略）と、プラテン１２５を駆動させる排出操作部としてのフィードボタン１１４と、プリンタ本体１１０の状態を表示する表示ランプ１１５とを備えている。
【００６５】
図９（ｂ）に示すようにプリンタ本体１１０のプリント機構１２０は、本体フレーム１２３にロール紙１１６を内蔵するためのロール紙支持フレーム１２２と、プリンタカバー１１１の内側にロール紙カバー１２１を有している。またプラテン１２５に対向する位置にバネ１３０で付勢されたサーマル方式の印字ヘッド１２４と、排出口１１２の下部にあたる位置にオートカッターユニット１２６とを有している。
【００６６】
このプリント機構１２０の動作は、感熱型のロール紙１１６をプラテン１２５で印字ヘッド１２４に押し付けて印字すると同時に、プラテン１２５はロール紙１１６を排出方向Ｄに送る。所定の印字が終了するとオートカッターユニット１２６のモータ１２７で駆動される可動刃１２８とプリンタカバー１１１側に備えられた固定刃１２９とによって、ロール紙１１６が挟まれて切断される。
【００６７】
このようなプリント機構１２０を有するプリンタ本体１１０を用いれば、所定の情報を描画して有効となる金券、乗車券や入場券などの有価証券、売上伝票に相当するレシートなどをその場で印刷して顧客に提供することができる。
【００６８】
尚、本実施形態では、プリンタ本体１１０としてサーマル方式が採用され、記録媒体として感熱型のロール紙１１６を用いたが、ロール状あるいはシート状の記録紙等に描画するインパクトドット方式、インクジェット方式、レーザー方式等のプリンタ本体であってもよい。
【００６９】
図１０は、ロック機構付きケースを備えたプリンタを示し、（ａ）はプリンタ本体の概略斜視図、（ｂ）はカバーが開いた状態のケースを示す概略斜視図、（ｃ）はケースにプリンタ本体を収容しカバーを閉じた状態を示す概略斜視図である。本実施形態のプリンタ１００は、ロック機構付きケース１０と、このケースに収容されたプリンタ本体１１０とにより構成されている。プリンタ本体１１０は、記録情報を受信して内蔵するロール紙１１６に所定の描画を行うプリンタであって、描画されたロール紙１１６が排出される前記排出口１１２と、排出口１１２を除いてロール紙１１６を覆う前記プリンタカバー１１１と、閉止状態のプリンタカバー１１１を開放させる前記オープンボタン１１３とを有している。またロール紙１１６を排出動作させる前記プラテン１２５と、プラテン１２５を起動させる前記フィードボタン１１４とを有している。
【００７０】
プリンタ１００は、プリンタ本体１１０が前述のロック機構６０を有するケース１０の収容部３０に収容されると共に、カバー２０はプリンタカバー１１１とオープンボタン１１３およびフィードボタン１１４を覆って閉止状態となるように収容部３０とロックされる。
【００７１】
プリンタ本体１１０のケース１０への収容方法は、カバー２０が開いた状態で開口部３７からプリンタ本体１１０を挿入し、図３に示した底面パネル３１に設けられた固定部３２ａ，３２ｂ，３２ｃ，３２ｄの上に載せる。そして底面パネル３１の底面に形成された大きめの孔３２ｉ，３２ｊ，３２ｋ，３２ｌからネジ１１８を挿入して、プリンタ本体１１０の底部に設けたネジ孔（図示せず）にネジ１１８を締め付けることによって固定される。
【００７２】
さらにケース１０に収容されたプリンタ１００を作業台のような特定の場所に固定する場合は、作業台とケース１０とを底面パネル３１に設けた固定孔３６ａ，３６ｂ，３６ｃ，３６ｄを用いて固定すればよい。
【００７３】
図１１は、本実施形態のプリンタの印刷システムの電気的構成を示すブロック図である。この印刷システム２００は、ロック機構付きケース１０に収められたプリンタ本体１１０と、プリンタ本体１１０に信号ケーブル２０３で繋がったホストコピュータ（以下ホストと呼ぶ）２０１と、ケース１０のロック機構６０を構成する電磁ロック部７１と、ケース１０近傍に設けられたドロア（金箱）２０２とによって構成されている。
【００７４】
プリンタ本体１１０には、ドロア２０２を開放する電気信号を発信する発信部１１７が内蔵されており、この発信部１１７は、２系統の出力を持っている。この場合、１系統はドロア２０２へ、もう１系統は、ケース１０内の電磁ロック部７１のソレノイド７２に信号ケーブル２０３で接続されている。またプリンタ本体１１０は、外部から電源供給を受けて動作する。
【００７５】
ホスト２０１は、ホスト２０１に対して所定の入力操作を行うことによりプリンタ本体１１０への記録情報やドロア２０２を開くための命令信号等の送信を行う。ホスト２０１からプリンタ本体１１０へ電磁ロック部７１が接続された発信部１１７の出力系統を指定してドロア２０２を開く第１の電気信号としてのロック解除命令信号を送ると、発信部１１７は電磁ロック部７１のソレノイド７２に第２の電気信号としての電気信号を送り、ソレノイド７２はカバーロック部６１によるカバー２０と収容部３０とのロックを解除するように動作する。同様にドロア２０２が接続された発信部１１７の出力系統を指定してドロア２０２を開くロック解除命令信号をホスト２０１からプリンタ本体１１０に送信すれば、ドロア２０２を開くことができる。なお、ホスト２０１からプリンタ本体１１０へ送信されるロック解除命令信号は、電気的な信号だけでなくコマンドも含まれる。
【００７６】
尚、ケース１０内に収められたプリンタ本体１１０とホスト２０１およびドロア２０２とを接続する信号ケーブル２０３を引き出すために、ケース１０の背面パネル４１に必要最小限の大きさで開口部（図示せず）が形成されている。また、本実施形態の印刷システム２００は、ＰＯＳシステムを想定しドロア２０２を設けているが、金銭のやり取りを行わない場合など必ずしもドロア２０２を必要とするものではない。
【００７７】
第１の実施形態の効果は、以下のとおりである。
（１）ロック機構付きケース１０は、カバー２０を閉じるとカバー２０に設けられたフック部２２とカバーロック部６１とが係合し、プリンタ本体１１０を収容部３０内に固定してカバー２０と収容部３０とを閉止状態にロックすることができる。また電磁ロック部７１は電気信号によってカバーロック部６１のロックを解除するソレノイド７２を備えているため、例えば管理責任者は、ケース１０に触れることなくホストコンピュータ２０１からプリンタ本体１１０に第１の電気信号を送ることによってカバー２０のロックを解除することができる。すなわち遠隔操作が可能となり、第３者によってケース１０内のプリンタ本体１１０が不正に取り出されることを防止することができる。
（２）カバーロック部６１は、カバー２０と収容部３０とが閉止状態に一旦ロックされると、電磁ロック部７１のソレノイド７２が電気信号によって作動しないかぎりロックは解除されない。ゆえにソレノイド７２が故障しても閉止状態を維持することができる。
（３）ロック機構６０は、カバーロック部６１と電磁ロック部７１とで構成され、いずれも収容部３０内に配設されているため、プリンタ本体１１０を収容部内に収めカバー２０と収容部３０とが閉止状態にロックされると、ケース外部からロック機構６０を破壊して解除しようとするような不正行為を防止することができる。すなわち、容易にプリンタ本体１１０がケース１０から取り出されることを防止することができる。
（４）プリンタ１００は、プリンタ本体１１０がロック機構付きケース１０に収められ、カバー２０はプリンタカバー１１１とオープンボタン１１３およびフィードボタン１１４を覆って閉止状態となるように収容部３０とロックされる。したがって、ロック機構６０によるロックを解除しないとプリンタカバー１１１を開けて内蔵されたロール紙１１６を取り出したり、フィードボタン１１４を押してロール紙１１６を排出させることができない。よって、プリンタ本体１１０に内蔵されたロール紙１１６が不正に取り出されることを防止することができる。
（５）プリンタ１００のロック機構６０を構成する電磁ロック部７１は、プリンタ本体１１０に内蔵された発信部１１７と接続されており、ホスト２０１からのロック解除命令信号（第１の電気信号）をプリンタ本体１１０が受けると発信部１１７から出力される電気信号（第２の電気信号）によって電磁ロック部７１のソレノイド７２が作動しカバーロック部６１のロックが解除される。すなわち、プリンタ１００に直接触れることなくカバー２０のロックを遠隔操作で解除することができる。
（６）ドロア２０２用の発信部１１７の２系統の出力の１つを、プリンタ本体１１０から電磁ロック部７１にロック解除のための電気信号（第２の電気信号）を送信するために利用しているため、ロック解除専用の発信部（出力端子含む）をプリンタ本体１１０に追加せずに電磁ロック部７１のロックを解除することができる。
（７）カバー２０はカバー支持部２１ａ，２１ｂのフック２６ａ，２６ｂと背面パネル４１のフック部４４ａ，４４ｂとの間に掛けられたバネによって開く方向に付勢されている。ゆえに、プリンタ本体１１０に内蔵されたロール紙１１６の交換や紙ジャム等のメンテナンス時には、開いたカバー２０を手で支えなくても容易にメンテナンス作業を行うことができる。
【００７８】
（第２の実施形態）
図１２は、他のロック機構付きケースを備えたプリンタを示し、（ａ）はプリンタ本体の概略斜視図、（ｂ）は開いた状態のケースを示す概略斜視図、（ｃ）はケースにプリンタ本体を収容した状態を示す概略斜視図である。本実施形態のプリンタ３００は、前述のプリンタ本体１１０をケース３０８に収容したものである。
【００７９】
ケース３０８は、プリンタ本体１１０を収容する開口部３０４ａが形成された収容部３０４と、収容部３０４の上方で開口部３０４ａを跨ぎ、軸３０９を中心に所定の範囲で開閉するホルダフレーム３０１と、収容部３０４内に配設されたロック機構３０７とによって構成されている。
【００８０】
ホルダフレーム３０１は、コの字型の形状となっておりホルダ部３０３とアーム部３０２とで構成されている。ホルダフレーム３０１の両端部となるアーム部３０２の各端部は、軸３０９によって収容部３０４の内壁に軸支されている。
【００８１】
ロック機構３０７には、収容部３０４の底面３０５に図８（ｂ）に示した電磁ロック部７１を設け、アーム部３０２に第１の実施形態のカバーロック部６１と同様なロック機構を形成することによりホルダフレーム３０１を開閉動作させている。
【００８２】
収容部３０４の後方には、背面部３０６が設けられており、プリンタ本体１１０を収容部３０４に収めると、背面部３０６はプリンタ本体１１０の背面に設けられた信号ケーブル等を接続するコネクタ類を覆うように形成されている。
【００８３】
このようなロック機構付きケース３０８を備えたプリンタ３００は、図１１に示した印刷システム２００を採用している。したがって、プリンタ本体１１０を収容部３０４に収めて固定し、ホルダフレーム３０１を手前に倒すと、ホルダフレーム３０１はプリンタカバー１１１とオープンボタン１１３およびフィードボタン１１４を覆って閉止状態に収容部３０４とロックされる。そして、このロックを解除するときには、ホスト２０１（図１１参照）に対し所定の入力操作をすることにより、ホスト２０１からプリンタ本体１１０へ送信されるロック解除命令信号（第１の電気信号）に基づいて、プリンタ本体１１０に内蔵された発信部１１７から出力される電気信号（第２の電気信号）により電磁ロック部７１が作動しホルダフレーム３０１のロックが解除される。
【００８４】
第２の実施形態の効果は、以下のとおりである。
（１）プリンタ３００は、プリンタ本体１１０がロック機構付きケース３０８に収められ、ホルダフレーム３０１はプリンタカバー１１１とオープンボタン１１３およびフィードボタン１１４を覆って閉止状態に収容部３０４とロックされる。したがって、ロック機構３０７によるロックを解除しないとプリンタカバー１１１を開けて内蔵されたロール紙１１６を取り出したり、フィードボタン１１４を押してロール紙１１６を排出させることができない。よって、プリンタ本体に内蔵されたロール紙１１６が不正に取り出されることを防止することができる。
（２）プリンタ３００のロック機構３０７を構成する電磁ロック部７１は、プリンタ本体１１０に内蔵された発信部１１７と接続されており、ホスト２０１からのロック解除命令信号（第１の電気信号）をプリンタ本体１１０が受けて発信部１１７からの電気信号（第２の電気信号）によって電磁ロック部７１のソレノイド７２が作動しホルダフレーム３０１のロックが解除される。すなわち、プリンタ３００に直接触れることなくホルダフレーム３０１のロックを遠隔操作で解除することができる。
【００８５】
第１の実施形態の変形例は、以下のとおりである。
（変形例１）収容物を収めるための開口部３７を必要な範囲だけ残して略密閉状態に収容部３０を覆うカバー２０を備えたロック機構付きケース１０としてもよい。
（変形例２）底面パネル３１、背面パネル４１、側面パネル５１が一体成形された鋳物やプラスチック材料等からなる収容部３０を備えたロック機構付きケース１０としてもよい。
（変形例３）カバーロック部６１のロックを解除する解除手段は、電気または圧空やオイル等で駆動されるモータやアクチュエータを用いてもよい。
（変形例４）プリンタ本体１１０の排出口１１２だけを逃げて略密閉状態にプリンタ本体１１０を覆い閉止状態に収容部３０とロックされるカバー２０を有するロック機構付きケース１０を備えたプリンタ１００としてもよい。
（変形例５）電磁ロック部７１は、ホスト２０１から直接に電気信号（第２の電気信号）を受けてカバーロック部６１のロックを解除する印刷システムとしてもよい。
（変形例６）カバー２０はプリンタカバー１１１のみを覆ってもよい。この場合、プリンタカバー１１１を開けてロール紙１１６が盗まれることを防止することができる。特にフィードボタン１１４のないプリンタ本体１１０であればこれでも十分な効果を奏する。
（変形例７）カバー２０はプリンタカバー１１１とフィードボタン１１４のみを覆ってもよい。この場合、プリンタカバー１１１を開けてロール紙１１６が盗まれることを防止することができ、しかもフィードボタン１１４を押してロール紙１１６をフィードさせて盗むことを防止することができる。
【００８６】
上記実施形態並びに変形例から把握される請求項以外の技術的思想を以下に記載する。
（１）プリンタ本体を収容する収容部と前記収容部を覆うカバーとを備えたロック機構付きケースであって、前記プリンタ本体は、記録情報を受信して内蔵された記録紙等の記録媒体に所定の描画を行い、描画された前記記録媒体が排出される排出口と、前記排出口を除いて前記内蔵された記録媒体を覆う蓋部と、閉止状態の前記蓋部を開放させる蓋操作部と、前記記録媒体を排出させる排出部と、前記排出部を起動させる排出操作部とを有し、前記カバーは前記収容部に収容された前記プリンタ本体の前記蓋部が閉止状態となるように前記蓋部の少なくとも一部と前記排出操作部とを覆って前記収容部とロックされるロック機構付きケース。
（２）記録情報を受信して内蔵された記録紙等の記録媒体に所定の描画を行うプリンタであって、描画された前記記録媒体が排出される排出口と、前記排出口を除いて前記内蔵された記録媒体を覆う蓋部と、閉止状態の前記蓋部を開放させる蓋操作部と、前記記録媒体を排出動作させる排出部と、前記排出部を起動させる排出操作部とを備えたプリンタ本体と、前記プリンタ本体を収容する収容部と前記収容部を覆うカバーとを備えたロック機構付きケースとを有し、前記カバーは前記収容部に収容された前記プリンタ本体の前記蓋部が閉止状態となるように前記蓋部の少なくとも一部と前記排出操作部とを覆って前記収容部とロックされるプリンタ。
【図面の簡単な説明】
【００８７】
【図１】第１の実施形態のロック機構付きケースの構造を示す概略斜視図。
【図２】収容部の部品を展開した展開図。
【図３】底面パネルを示し、（ａ）は平面図、（ｂ）は側面図、（ｃ）は左側面図、（ｄ）は右側面図。
【図４】背面パネルを示し、（ａ）は側面図、（ｂ）は背面図、（ｃ）は底面図。
【図５】側面パネルを示し、（ａ）は正面図、（ｂ）は平面図、（ｃ）は左側面図、（ｄ）は右側面図。
【図６】カバーを示し、（ａ）は平面図、（ｂ）は右側面図、（ｃ）は正面図、（ｄ）は背面図。
【図７】軸部品を示す概略側面図。
【図８】ロック機構の構造を示し、（ａ）はカバーロック部の概略側面図、（ｂ）は電磁ロック部の概略平面図、（ｃ）は電磁ロック部の概略側面図。
【図９】プリンタ本体の構造を示し、（ａ）は蓋部を開けた状態を示す概略斜視図、（ｂ）はプリント機構を示す概略断面図。
【図１０】ロック機構付きケースを備えたプリンタを示し、（ａ）はプリンタ本体の概略斜視図、（ｂ）はカバーが開いた状態のケースを示す概略斜視図、（ｃ）はプリンタ本体をケースに収容した状態を示す概略斜視図。
【図１１】印刷システムの電気的構成を示すブロック図。
【図１２】第２の実施形態のロック機構付きケースを備えたプリンタを示し、（ａ）はプリンタ本体の概略斜視図、（ｂ）は開いた状態のケースを示す概略斜視図、（ｃ）はプリンタ本体をケースに収容した状態を示す概略斜視図。
【符号の説明】
【００８８】
１０…ケース、２０…カバー、３０…収容部、３７…開口部、６０…ロック機構、６１…ロック部としてのカバーロック部、７１…ロック部としての電磁ロック部、７２…電磁開閉器としてのソレノイド、１００…プリンタ、１１０…プリンタ本体、１１１…蓋部としてのプリンタカバー、１１２…排出口、１１３…蓋操作部としてのオープンボタン、１１４…排出操作部としてのフィードボタン、１１６…記録媒体としてのロール紙、１１７…発信部、１２５…排出部としてのプラテン、２０２…ドロア（金箱）。
【図１】
0004617709.tif 000002
【図２】
0004617709.tif 000003
【図３】
0004617709.tif 000004
【図４】
0004617709.tif 000005
【図５】
0004617709.tif 000006
【図６】
0004617709.tif 000007
【図７】
0004617709.tif 000008
【図８】
0004617709.tif 000009
【図９】
0004617709.tif 000010
【図１０】
0004617709.tif 000011
【図１１】
0004617709.tif 000012
【図１２】
0004617709.tif 000013